(57)【要約】【課題】表示する画面の表示態様を適切にする情報出力制御装置、情報入出力装置、情報出力制御システム及びプログラムを提供することを課題とする。【解決手段】情報表示装置１０は、表示画面に表示される質問情報を受信した場合には、質問情報の種別に応じて、質問情報が表示される表示先画面を判別し、表示先画面を示す表示先情報を質問情報に付加する。そして、情報表示装置１０は、表示先判別部１４により付加された表示先情報に応じて、自装置で表示する共通画面と、情報入出力装置２０でそれぞれ表示される個別画面とを生成する。【選択図】図３
2013065098.tif 000002
【特許請求の範囲】
【請求項１】
表示する表示情報の種別に応じて、該表示情報が表示される表示先画面が、自装置で表示する共通画面であるか、各利用者が所有する情報入出力装置でそれぞれ表示される個別画面であるかを判別する判別部と、
前記判別部によって前記表示先画面が前記共通画面であると判別された表示情報を用いて、前記共通画面を生成し、前記判別部により前記表示先画面が前記個別画面であると判別された表示情報を用いて、各個別画面を生成する生成部と、
前記生成部によって生成された前記共通画面を表示する表示部と、
前記生成部によって生成された前記各個別画面を前記利用者の情報入出力装置にそれぞれ送信する送信部と
を備えることを特徴とする情報出力制御装置。
【請求項２】
前記判別部は、前記表示情報が他の表示情報と内容が重複しているか判定し、当該表示情報が他の表示情報と内容が重複していない場合には、該表示情報の種別に応じて前記表示先画面が、前記共通画面であるか前記個別画面であるかを判別し、前記表示情報が他の表示情報と内容が重複している場合には、前記共通画面に表示されることを禁止することを特徴とする請求項１に記載の情報出力制御装置。
【請求項３】
前記生成部は、共通画面のページが変更された場合には、変更後のページに対応する共通画面を生成するとともに、該変更後のページに対応する個別画面を生成することを特徴とする請求項１または２に記載の情報出力制御装置。
【請求項４】
表示する表示情報の入力と、当該表示情報の種別の入力とを受け付ける入力部と、
前記入力部によって入力された前記表示情報と当該表示情報の種別とを、前記表示情報を表示する表示画面を生成する情報出力制御装置に送信する送信部と、
自装置で表示する前記表示画面を表す個別画面を前記情報出力制御装置から受信する受信部と、
前記受信部によって受信した個別画面を表示する表示部と
を備えることを特徴とする情報入出力装置。
【請求項５】
表示する表示情報から表示画面を生成する情報出力制御装置と、前記表示情報の入力を受け付け、該表示情報を前記情報出力制御装置に送信する情報入出力装置とからなる情報出力制御システムであって、
情報出力制御装置は、
前記表示情報の種別に応じて、該表示情報が表示される表示先画面が、自装置で表示する共通画面であるか、各利用者が所有する情報入出力装置でそれぞれ表示される個別画面であるかを判別する判別部と、
前記判別部によって前記表示先画面が前記共通画面であると判別された表示情報を用いて、前記共通画面を生成し、前記判別部により前記表示先画面が前記個別画面であると判別された表示情報を用いて、各個別画面を生成する生成部と、
前記生成部によって生成された前記共通画面を表示する表示部と、
前記生成部によって生成された前記各個別画面を前記利用者の情報入出力装置にそれぞれ送信する送信部と
を備え、
前記情報入出力装置は、
前記表示情報の入力と、当該表示情報の種別の入力とを受け付ける入力部と、
前記入力部によって入力された前記表示情報と当該表示情報の種別とを、前記表示画面を生成する情報出力制御装置に送信する送信部と、
前記情報出力制御装置から自装置で表示する個別画面を受信する受信部と、
前記受信部によって受信した個別画面を表示する表示部と
を備えることを特徴とする情報出力制御システム。
【請求項６】
表示する表示情報から表示画面を生成する情報出力制御装置と、前記表示情報の入力を受け付け、該表示情報を前記情報出力制御装置に送信するコンピュータにより実行可能なプログラムとからなる情報出力制御システムであって、
情報出力制御装置は、
前記表示情報の種別に応じて、該表示情報が表示される表示先画面が、自装置で表示する共通画面であるか、各利用者が所有する情報入出力装置でそれぞれ表示される個別画面であるかを判別する判別部と、
前記判別部によって前記表示先画面が前記共通画面であると判別された表示情報を用いて、前記共通画面を生成し、前記判別部により前記表示先画面が前記個別画面であると判別された表示情報を用いて、各個別画面を生成する生成部と、
前記生成部によって生成された前記共通画面を表示する表示部と、
前記生成部によって生成された前記各個別画面を前記利用者の情報入出力装置にそれぞれ送信する送信部と
を備え、
前記プログラムは、
前記表示情報の入力と、当該表示情報の種別の入力とを受け付ける入力ステップと、
前記入力ステップによって入力された前記表示情報と当該表示情報の種別とを、前記表示画面を生成する情報出力制御装置に送信する送信ステップと、
前記情報出力制御装置から自装置で表示する個別画面を受信する受信ステップと、
前記受信部によって受信した個別画面を表示する表示ステップと
をコンピュータに実行させることを特徴とする情報出力制御システム。
【請求項７】
表示する表示情報の種別に応じて、該表示情報が表示される表示先画面が、自装置で表示する共通画面であるか、各利用者が所有する情報入出力装置でそれぞれ表示される個別画面であるかを判別する判別ステップと、
前記判別ステップによって前記表示先画面が前記共通画面であると判別された表示情報を用いて、前記共通画面を生成し、前記判別ステップにより前記表示先画面が前記個別画面であると判別された表示情報を用いて、各個別画面を生成する生成ステップと、
前記生成ステップによって生成された前記共通画面を表示する表示ステップと、
前記生成ステップによって生成された前記各個別画面を前記利用者の情報入出力装置にそれぞれ送信する送信ステップと
をコンピュータに実行させるためのプログラム。
【請求項８】
表示する表示情報の入力と、当該表示情報の種別の入力とを受け付ける入力ステップと、
前記入力ステップによって入力された前記表示情報と当該表示情報の種別とを、前記表示画面を生成する情報出力制御装置に送信する送信ステップと、
前記情報出力制御装置から自装置で表示する個別画面を受信する受信ステップと、
前記受信ステップによって受信した個別画面を表示する表示ステップと
をコンピュータに実行させるためのプログラム。
【発明の詳細な説明】
【技術分野】
【０００１】
本発明は、情報出力制御装置、情報入出力装置、情報出力制御システム及びプログラムに関する。
【背景技術】
【０００２】
従来、プレゼンテーションに使用した資料などを表示する資料表示領域とは別に、質問などの表示情報を表示する表示領域を設けて、資料と質問を合わせて表示する技術が知られている。例えば、質問者が予め質問対象のページを指定し、資料に質問内容を結び付けてサーバ等に保存しておく。質疑応答時には、資料表示領域とは別に質問表示領域を設けて、資料と質問を合わせて表示する。
【発明の概要】
【発明が解決しようとする課題】
【０００３】
しかしながら、質問の内容を選別しないで、そのまま表示するだけでは、画面が冗長になり理解しにくい、また質問者それぞれが見たい内容がプロジェクタで表示されている内容と限らない。このため、資料と質問とを合わせて表示する画面の表示態様が適切でないという問題があった。
【０００４】
本発明は、上記に鑑みてなされたものであって、画面の表示態様を適切にする情報出力制御装置、情報入出力装置、情報出力制御システム及びプログラムを提供することを目的とする。
【課題を解決するための手段】
【０００５】
上述した課題を解決し、目的を達成するために、本発明は、表示する表示情報の種別に応じて、該表示情報が表示される表示先画面が、自装置で表示する共通画面であるか、各利用者が所有する情報入出力装置でそれぞれ表示される個別画面であるかを判別する判別部と、前記判別部によって前記表示先画面が前記共通画面であると判別された表示情報を用いて、前記共通画面を生成し、前記判別部により前記表示先画面が前記個別画面であると判別された表示情報を用いて、各個別画面を生成する生成部と、前記生成部によって生成された前記共通画面を表示する表示部と、前記生成部によって生成された前記各個別画面を前記利用者の情報入出力装置にそれぞれ送信する送信部とを備えることを特徴とする。
【発明の効果】
【０００６】
本発明は、画面の表示態様を適切にするという効果を奏する。
【図面の簡単な説明】
【０００７】
【図１】図１は、情報出力制御システムの概略構成例を示す図である。
【図２】図２は、情報出力制御システムのハードウェア構成例を示す図である。
【図３】図３は、情報表示装置および情報入出力装置の構成を示すブロック図である。
【図４】図４は、質問入力時の画面の一例を示す図である。
【図５】図５は、質問に表示情報を設定する画面の一例を示す図である。
【図６】図６は、情報入出力装置が保持する情報を示す図である。
【図７】図７は、情報表示装置が保持する情報を示す図である。
【図８】図８は、情報表示装置の記憶部に記憶された情報の一例を示す図である。
【図９】図９は、質問情報のデータ構造を示す図である。
【図１０】図１０は、情報表示装置の記憶部に記憶された質問情報の一例を示す図である。
【図１１】図１１は、共通画面の画面表示例を示す図である。
【図１２】図１２は、個別画面の画面表示例を示す図である。
【図１３】図１３は、個別画面のページ操作について説明する図である。
【図１４】図１４は、個別画面の質問表示部分を頁別に表示する例を示す図である。
【図１５】図１５は、複数の情報入出力装置とユーザとの関係を説明する図である。
【図１６】図１６は、複数の情報入出力装置とユーザとの関係を説明する図である。
【図１７】図１７は、ユーザを切り替える例を説明する図である。
【図１８】図１８は、情報入出力装置および情報表示装置による質問情報登録処理を示すシーケンス図である。
【図１９】図１９は、情報表示装置による共通画面生成処理を示すシーケンス図である。
【図２０】図２０は、情報入出力装置および情報表示装置による共通画面生成処理を示すシーケンス図である。
【図２１】図２１は、情報表示装置による共通画面生成処理を説明するためのフローチャートである。
【図２２】図２２は、情報表示装置による個別画面生成処理を説明するためのフローチャートである。
【図２３】図２３は、情報表示装置による質問情報表示判定処理を説明するためのフローチャートである。
【図２４】図２４は、情報入出力装置および情報表示装置による画面表示処理を示すシーケンス図である。
【図２５】図２５は、情報表示装置および情報入出力装置の構成を示すブロック図である。
【発明を実施するための形態】
【０００８】
以下に添付図面を参照して、情報出力制御装置、情報入出力装置、情報出力制御システム及びプログラムの実施の形態を詳細に説明する。
【０００９】
（第１の実施の形態）
最初に、実施形態の情報出力制御システムの概略構成について説明する。図１は、実施形態の情報出力制御システムの概略構成例を示す図である。実施の形態１の画像形成システム１００は、情報表示装置１０、複数の情報入出力装置２０Ａ、２０Ｂ、２０Ｃを備える。
【００１０】
図１に示すように、情報表示装置１０は、各情報入出力装置２０Ａ、２０Ｂ、２０Ｃとそれぞれ接続されている。情報表示装置１０は、各情報入出力装置２０Ａ、２０Ｂ、２０Ｃから受け付けた質問に関する情報を用いて、共通画面および個別画面を生成する。ここで、情報表示装置１０とは、プロジェクタ等のプロジェクタ、タブレット、プリンタ、ＰＣ（Personal  Computer）、サーバ等の出力装置である。
【００１１】
各情報入出力装置２０Ａ、２０Ｂ、２０Ｃは、利用者が入力した質問に関する情報を情報表示装置１０に送信する。また、各情報入出力装置２０Ａ、２０Ｂ、２０Ｃは、情報表示装置１０により個別に生成された個別画面を表示する。
【００１２】
ここで、図２を用いて、情報出力制御システムのハードウェア構成例を説明する。図２は、実施形態の情報出力制御システムのハードウェア構成例を示す図である。例えば、画像形成システム１００は、情報表示装置１０に接続された情報入出力装置として、ホワイトボード２０ａ、プロジェクタ２０ｂ、タブレット２０ｃ、プリンタ２０ｄ、およびＰＣ２０ｅを有する。また、情報表示装置１０は、上記した各装置２０ａ〜２０ｅを識別するＩＤを保持しているものとする。なお、情報入出力装置は、ホワイトボード、プロジェクタ、タブレット、プリンタ、ＰＣに限らず、携帯電話などであってもよい。
【００１３】
次に、図３を用いて、情報表示装置および情報入出力装置の構成を説明する。図３は、情報表示装置および情報入出力装置の構成を示すブロック図である。
【００１４】
まず、図３を用いて、情報入出力装置２０の構成について説明する。図３に示すように、情報入出力装置２０は、通信部２１、入力部２２、情報作成部２３、表示管理部２４、表示部２５を有する。
【００１５】
通信部２１は、通信表示装置１０との情報の送受信を制御する。例えば、通信部２１は、後述する質問情報を情報表示装置１０に送信する処理や、個別画面表示のための情報を情報表示装置１０から受信する処理を行う。
【００１６】
入力部２２は、ユーザからの情報の入力を受け付ける。具体的には、入力部２２は、ユーザによる質問に関する情報の入力を受け付ける。ここで、図４を用いて、質問入力時の画面について説明する。図４は、質問入力時の画面の一例を示す図である。図４に示すように、情報入出力装置２０は、質問入力時の画面として、画面上部分に、共通画面の内容を表示する。また、情報入出力装置２０は、画面下半分で、質問の内容の入力を受け付ける。また、入力した質問には、各種情報を設定することができる。
【００１７】
ここで、図５を用いて、質問に設定情報を設定する例について説明する。図５に示すように、設定画面で質問の表示範囲を決める事ができる。例えば、公表範囲を、「特定のグループ（Ｇ）内のみ」、「全体」、「個人のみ」のいずれかを選択できる。また、質問が重複した時の個人領域への表示を「する」か「しない」かを選択できる。また、公開可能なグループ名を指定することができる。なお、このような情報は、情報入出力装置２０内の記憶部（図示せず）に記憶される。
【００１８】
ここで、図６を用いて、情報入出力装置が保持する情報の例について説明する。図６は、情報入出力装置が保持する情報を示す図である。情報入出力装置２０の記憶部は、図６に示すように、情報入出力装置２０の使用者を識別する「使用者ＩＤ」と、情報入出力装置２０を識別する「情報入出力装置ＩＤ」とを記憶する。
【００１９】
情報作成部２３は、入力部２２に入力された質問に関する情報から、質問情報を作成する。具体的には、情報作成部２３は、質問情報として、質問の内容を示す「質問内容」、質問が行われた会議を示す「会議ＩＤ」、質問が発表資料のどのページに該当するかを示す「質問対象ページ」、質問者を識別する「質問者ＩＤ」、質問が他の内容と重複した際に個人画面に表示するか否かを示す「重複時表示可否」、質問が重複していなかった際に共通画面に表示するか個人画面に表示するか特定のグループの個人画面に表示するかを示す「公開範囲」を含む質問情報を作成する。質問内容、会議ＩＤ、質問対象ページ、質問者ＩＤ、重複時表示可否、公開範囲は、質問者によりそれぞれ入力される情報である。なお、質問情報のデータ構造については、後に図９を用いて詳述する。
【００２０】
表示管理部２４は、表示のための情報を通信部２１から受信し、表示部２５に個別画面を表示させるように制御する。表示部２５は、個別画面表示のための情報を用いて、個別画面を表示する。なお、個別画面の表示例については、後に図１２を用いて詳述する。
【００２１】
まず、図３を用いて、情報表示装置１０の構成について説明する。情報表示装置１０は、通信部１１、記憶部１２、情報管理部１３、表示先判別部１４、操作部１５、表示画像生成部１６、表示管理部１７、表示部１８を有する。
【００２２】
通信部１１は、通信入出力装置２０との情報の送受信を制御する。例えば、通信部１１は、後述する質問情報を通信入出力装置２０から受信する処理や、受信した個別画面表示のための情報を情報表示装置１０から受信する処理を行う。
【００２３】
記憶部１２は、各種処理に必要なデータおよびプログラムを格納する。具体的には、記憶部１２は、個別画面を作成するために必要な、個別画面特有の個別画面情報を保持する。図７に示すように、個別画面情報とは、個別画面と所属するグループを対応付けた「所属Ｇ」、個別画面に表示する画面の要素の情報（例えば、ＦＡＱ（Frequently  Asked  Questions）や用語辞典など）である「表示要素」、個別画面情報に対応付けられた情報入出力装置２０を識別する「情報入出力装置ＩＤ」、個別画面を識別する「個別画面ＩＤ」を含む情報である。
【００２４】
例えば、記憶部１２は、図８に示すように、個別画面ＩＤと、所属Ｇと、表示要素と、情報入出力装置ＩＤとが対応付けられたテーブルを記憶する。図８の例では、例えば、記憶部１２は、個別画面ＩＤ「１」と、所属Ｇ「グループＡ」と、表示要素「ＦＡＱ・用語辞典」と、情報入出力装置ＩＤ「ＰＣ０１」とを対応付けて記憶する。
【００２５】
情報管理部１３は、通信部１１から質問情報を受信し、受信した質問情報を管理する。具体的には、情報管理部１３は、質問情報を識別する質問ＩＤを質問情報に付加し、記憶部１２に記憶させる。
【００２６】
表示先判別部１４は、表示する質問情報の種別に応じて、該質問情報が表示される表示先画面が、自装置で表示する共通画面であるか、各利用者が所有する情報入出力装置２０でそれぞれ表示される個別画面であるかを判別する。具体的には、表示先判別部１４は、表示画面に表示される質問情報を受信した場合には、質問情報の種別に応じて、質問情報が表示される表示先画面を判別し、表示先画面を示す表示先情報を質問情報に付加する。ここで、質問情報の種別とは、ユーザによって設定された質問情報の公開範囲のことをいう。
【００２７】
つまり、表示先判別部１４は、質問情報の公開範囲が「全体」である場合には、表示先情報「共通画面」を質問情報に付加する。また、表示先判別部１４は、質問情報の公開範囲が「特定グループ内のみ」である場合には、表示先情報として「個別画面」とグループに属する「対象者名」とを質問情報に付加する。また、表示先判別部１４は、質問情報の公開範囲が「個人」である場合には、表示先情報として「個別画面」と「対象者名」とを質問情報に付加する。なお、ユーザに設定された質問情報の公開範囲から質問情報の表示先画面を判別する場合に限定されず、例えば、表示先判別部１４が、質問情報の内容から表示先画面を判別するようにしてもよい。一例を挙げると、質問情報の質問内容に含まれる単語から、共通画面に表示するか個別画面に表示するか判別してもよい。
【００２８】
また、表示先判別部１４は、質問情報が他の質問情報と内容が重複しているか判定し、質問情報が他の質問情報と内容が重複していない場合には、該質問情報の種別に応じて表示先画面が、共通画面であるか個別画面であるかを判別し、質問情報が他の質問情報と内容が重複している場合には、共通画面に表示されることを禁止する。具体的には、表示先判別部１４は、受信した質問情報の内容が、他の質問と重複しているか否かを判別し、他の質問と重複しているか否かを示す質問重複情報を質問情報に付加する。ここで、他の質問と重複していると判定された質問については、一番時系列の早いものを除いては、共通画面には表示しない。なお、時系列以外にも、質問の重要度や、質問者ＩＤなどを判定基準としてもよい。なお、表示先を判別する詳しい処理については、後に図２３を用いて詳述する。
【００２９】
ここで、図９を用いて、質問情報のデータ構造について説明する。図９は、質問情報のデータ構造を示す図である。図９に示すように、質問情報は、質問が行われた会議を示す「会議ＩＤ」、質問の内容を示す「質問内容」、質問が発表資料のどのページに該当するかを示す「質問対象ページ」、質問者を識別する「質問者ＩＤ」、質問が他の内容と重複した際に個別画面に表示するか否かを示す「重複時表示可否」、質問が重複していなかった際に共通画面に表示するか個別画面に表示するか特定のグループの個別画面に表示するかを示す「公開範囲」が情報入出力装置２０によって設定されている。
【００３０】
また、質問情報は、質問情報を識別する「質問ＩＤ」が情報管理部１３によって付加されている。また、質問情報は、表示先画面を示す「表示先情報」と、他の質問と重複しているか否かを示す「質問重複情報」とが表示先判別部１４によって付加されている。
【００３１】
ここで、図１０の例を用いて、具体的な質問情報の例について説明する。図１０は、情報表示装置の記憶部に記憶された質問情報の一例を示す図である。図１０に示すように、記憶部１２は、「会議ＩＤ」と、「質問ＩＤ」と、「質問者ＩＤ」と、「質問対象ページ」と、「質問内容」と、「質問重複情報」と、「重複時表示可否」と、「公開範囲」と、「表示先情報」とを対応付けて記憶する。
【００３２】
例えば、記憶部１２は、会議ＩＤ「１」と、質問ＩＤ「１」と、質問者ＩＤ「ｉｃｈｉｒｏ」と、質問対象ページ「１」と、質問内容「ｃｃｃの意味とは？」と、質問重複情報「重複していない」と、重複時表示可否「表示する」と、公開範囲「共通」と、表示先情報「共通画面」とを対応付けて記憶する。
【００３３】
操作部１５は、外部から情報表示装置１０に対する操作要求を受け付ける。具体的には、操作部１５は、ユーザによる共通画面または個別画面の生成要求を受け付ける。そして、操作部１５は、表示画像生成部１６に共通画面または個別画面の生成要求を出力する。
【００３４】
表示画像生成部１６は、表示先判別部１４により付加された表示先情報に応じて、自装置で表示する共通画面と、情報入出力装置２０でそれぞれ表示される個別画面とを生成する。例えば、表示画像生成部１６は、表示先情報が「共通画面」である質問情報の「質問内容」を、「質問対象ページ」の発表資料の右横に配置して、共通画面を生成する。
【００３５】
ここで、図１１の例を用いて、共通画面の例について説明する。図１１は、共通画面の画面表示例を示す図である。図１１に例示するように、発表資料の右横に選別された質問内容を表示する質問画面が配置されている。なお、共通画面の表示態様は、図１１の例に限定されるものではなく、表示する位置や大きさなどを変更してもよい。このように、情報表示装置１０では、共通画面に表示する事柄を選別して表示するので、画面を洗練し、理解しやすい画面を表示することができる。
【００３６】
また、表示画像生成部１６は、表示先情報が「個別画面」である質問情報の「質問内容」を、個別画面に共通で表示させる共通の画面の下に追加した個別画面を「質問者ＩＤ」ごとに生成する。ここで、図１２の例を用いて、個別画面の例について説明する。図１２は、個別画面の画面表示例を示す図である。図１２に例示するように、個別画面ごとに、下に表示される「質問（個人）」が異なる。例えば、質問者ＩＤ「ｉｃｈｉｒｏ」の個別画面の２ページ目には、質問（個人）として「２０１０と２０１５の関連は？」が表示されている。一方、質問ＩＤ「ｓａｔｏｈ」の個別画面の２ページ目には、質問（個人）として「△△△とは？」が表示されている。このように、各人に個別に用意された個人画面を表示することで、個別に画面を提供することができる。
【００３７】
また、個別画面は、図１２の例に限定されるものではなく、どのような表示態様であってもよい。例えば、個別画面の共通部分のみページ操作を行えるようにしてもよい。図１３の例を用いて説明すると、個別画面の共通部分（図１３における、太枠で囲った部分）のみページ操作を行うことができる。これにより、個別画面の共通部分を１ページ目にし、個別画面の個別表示部分を２ページ目にするなど、自由な表示態様で画面を表示させることができる。
【００３８】
また、質問や指摘が多い場合には、表示部分の一部のみページ送りが出来るようにしてもよい。図１４の例を用いて説明すると、個別画面の共通部分における右側の「質問」について、ページ操作を行うための「前頁」および「次頁」が表示される。「前頁」および「次頁」を操作することで、質問のページのみを操作することができる。
【００３９】
表示管理部１７は、表示画像生成部１６によって生成された画像のうち、共通画面用の画像を表示部１８に表示するように制御する。表示部１８は、表示画像生成部１６によって生成された共通画面を表示する。
【００４０】
ここで、一人のユーザが複数の情報入出力装置を所有し、複数の情報入出力装置を併用する場合における処理ついて説明する。情報表示装置１０の記憶部１２は、図１５に例示するように、情報入出力装置２０を管理するために、情報入出力装置２０の装置名と情報入出装置２０を使用する使用者ＩＤとを対応付けて記憶する。図１５の例では、使用者「ｉｃｈｉｒｏ」が「ＰＣ０１」および「プリンタ０１」を併用している。
【００４１】
このような場合には、一人のユーザが複数の個別画面を持つこととなる。例えば、図１６に示すように、ユーザ「ｉｃｈｉｒｏ」が、装置名「ＰＣ０１」で個別画面ＩＤ「１」の個別画面０１を表示させると共に、装置名「プリンタ０１」で個別画面ＩＤ「２」の個別画面０２を表示させる。
【００４２】
また、図１７に示すように、情報入出力装置を使用するユーザが切り替わった場合には、情報入出力装置２０に対応付けられた使用者ＩＤを変更することで、ユーザの切り替えを行うことができる。
【００４３】
［情報表示装置および情報入出力装置による処理］
次に、図１８〜図２４を用いて、実施例１に係る情報表示装置１０および情報入出力装置２０による処理を説明する。図１８は、情報入出力装置および情報表示装置による質問情報登録処理を示すシーケンス図である。図１９は、情報表示装置による共通画面生成処理を示すシーケンス図である。図２０は、情報入出力装置および情報表示装置による共通画面生成処理を示すシーケンス図である。図２１は、情報表示装置による共通画面生成処理を説明するためのフローチャートである。図２２は、情報表示装置による個別画面生成処理を説明するためのフローチャートである。図２３は、情報表示装置による質問情報表示判定処理を説明するためのフローチャートである。図２４は、情報入出力装置および情報表示装置による画面表示処理を示すシーケンス図である。
【００４４】
まず、情報入出力装置２０および情報表示装置１０による質問情報登録処理について説明する。図１８に示すように、情報出力装置２０の入力部２２は、ユーザからの情報の入力を受け付ける（ステップＳ１０１）。そして、情報作成部２３は、入力部２２に入力された質問に関する情報から、質問情報を作成し（ステップＳ１０２）、質問情報を通信部２１に送信する（ステップＳ１０３）。
【００４５】
そして、情報入出力装置２０の通信部２１は、質問情報を情報表示装置１０の通信部１１に送信する（ステップＳ１０４）。続いて、通信部１１は、質問情報を情報管理部１３に登録する（ステップＳ１０５）。そして、情報管理部１３は、質問情報を識別する質問ＩＤを質問情報に付加し（ステップＳ１０６）、記憶部１２に登録する（ステップＳ１０７）。なお、情報表示装置１０が、全ての質問を受けた上で、後述する共通画面および個別画面の生成処理を行う。
【００４６】
次に、図１９を用いて、情報表示装置による共通画面生成処理について説明する。図１９に示すように、情報表示装置１０の操作部１５からの共通画面生成要求に基づき、操作部１５は、ユーザによる共通画面または個別画面の生成要求を受け付けると、表示画像生成部１６に共通画面または個別画面の生成要求を出力する（ステップＳ２０１）。そして、表示画像生成部１６は、記憶部１２から表示に必要な情報（質問情報）を呼び出す（ステップＳ２０２）。続いて、表示画像生成部１６は、表示に必要な情報を取得し（ステップＳ２０３）、取得した情報を用いて、共通画面を生成する（ステップＳ２０４）。
【００４７】
その後、表示画像生成部１６は、生成した共通画面を表示管理部１７に出力する（ステップＳ２０５）。そして、表示管理部１７は、表示部１８に共通画面を表示させる（ステップＳ２０６）。
【００４８】
次に、図２０を用いて、情報入出力装置２０および情報表示装置１０による共通画面生成処理を説明する。図２０に示すように、情報入出力装置２０の入力部２２は、ユーザからの個別画面表示の要求を受け付けると、個別画面生成の要求を通信部２１に出力する（ステップＳ３０１）。そして、通信部２１は、個別画面表示の要求を情報表示装置１０の通信部１１に送信する（ステップＳ３０２）。
【００４９】
そして、通信部１１は、個別画面表示の要求を表示画像生成部１６に出力する（ステップＳ３０３）。続いて、表示画像生成部１６は、表示に必要な情報の取得要求を記憶部１２に送信し（ステップＳ３０４）、表示に必要な情報を記憶部１２から取得する（ステップＳ３０５）。そして、表示画像生成部１６は、個別の質問情報を共通画面の該当するページに追加し（ステップＳ３０６）、個別画面の画像を生成する。
【００５０】
そして、表示画像生成部１６は、個別画面の画像を通信部１１に出力する（ステップＳ３０７）。その後、通信部１１は、個別画面の画像を情報入出力装置２０の通信部２１に送信する（ステップＳ３０８）。その後、通信部２１が表示部２５に個別画面の画像を出力し、表示部２５に個別画面を表示させる（ステップＳ３０９）。
【００５１】
次に、図２１を用いて、情報表示装置１０による共通画面生成処理を説明する。情報表示装置１０は、上述したように、ユーザによる共通画面生成要求を受け付けると、記憶部１２から共通画面に表示される質問情報を取得する（ステップＳ４０１）。そして、情報表示装置１０は、取得した質問情報が、現在生成中の共通画面のページに該当する質問であるか判定する（ステップＳ４０２）。
【００５２】
この結果、情報表示装置１０は、取得した質問情報が、現在生成中の共通画面のページに該当する質問であると判定した場合には（ステップＳ４０２肯定）、質問の内容を共通画面の該当するページに割り当てる（ステップＳ４０３）。また、情報表示装置１０は、取得した質問情報が、現在生成中の共通画面のページに該当する質問でないと判定した場合には（ステップＳ４０２否定）、ステップＳ４０４の処理に移る。
【００５３】
そして、情報表示装置１０は、現在生成中の共通画面のページについて、全ての質問を割り当てたか判定する（ステップＳ４０４）。この結果、情報表示装置１０は、現在生成中の共通画面のページについて、全ての質問を割り当てていない場合には（ステップＳ４０４否定）、ステップＳ４０１に戻り、現在生成中の共通画面のページについて、全ての質問を割り当てるまで、ステップＳ４０１〜ステップＳ４０４の処理を繰り返す。
【００５４】
そして、情報表示装置１０は、現在生成中の共通画面のページについて、全ての質問を割り当てた場合には（ステップＳ４０４肯定）、全てのページを作成したかを判定する（ステップＳ４０５）。この結果、情報表示装置１０は、全てのページを作成していないと判定した場合には（ステップＳ４０５否定）、ステップＳ４０１に戻り、全てのページに質問を割り当てるまで、ステップＳ４０１〜ステップＳ４０５の処理を繰り返す。また、情報表示装置１０は、全てのページを作成したと判定した場合には（ステップＳ４０５肯定）、処理を終了する。
【００５５】
次に、図２２を用いて、情報表示装置１０による個別画面生成処理を説明する。図２２に示すように、情報入出力装置２０から個別画面の生成要求を受け付けると、記憶部１２から個別画面に表示される質問情報を取得する（ステップＳ５０１）。そして、情報表示装置１０は、取得した質問情報が、現在生成中の個別画面のページに該当する質問であるか判定する（ステップＳ５０２）。
【００５６】
この結果、情報表示装置１０は、取得した質問情報が、現在生成中の個別画面のページに該当する質問であると判定した場合には（ステップＳ５０２肯定）、質問の内容を共通画面の該当するページに割り当てる（ステップＳ５０３）。また、情報表示装置１０は、取得した質問情報が、現在生成中の個別画面のページに該当する質問でないと判定した場合には（ステップＳ５０２否定）、ステップＳ５０４の処理に移る。
【００５７】
そして、情報表示装置１０は、現在生成中の個別画面のページについて、全ての質問を割り当てたか判定する（ステップＳ５０４）。この結果、情報表示装置１０は、現在生成中の個別画面のページについて、全ての質問を割り当てていない場合には（ステップＳ５０４否定）、ステップＳ５０１に戻り、現在生成中の共通画面のページについて、全ての質問を割り当てるまで、ステップＳ５０１〜ステップＳ５０４の処理を繰り返す。
【００５８】
また、情報表示装置１０は、現在生成中の個別画面のページについて、全ての質問を割り当てた場合には（ステップＳ５０４肯定）、個別画面の表示設定に特定の表示が設定されている場合であるか判定する（ステップＳ５０５）。この結果、個別画面の表示設定に特定の表示が設定されている場合には（ステップＳ５０５肯定）、特定の情報を表示する（ステップＳ５０６）。また、個別画面の表示設定に特定の表示が設定されていない場合には（ステップＳ５０５否定）、ステップＳ５０７に移る。
【００５９】
そして、情報表示装置１０は、全てのページを作成したかを判定する（ステップＳ５０７）。この結果、情報表示装置１０は、全てのページを作成していないと判定した場合には（ステップＳ５０７否定）、ステップＳ５０１に戻り、全てのページに質問を割り当てるまで、ステップＳ５０１〜ステップＳ５０７の処理を繰り返す。また、情報表示装置１０は、全てのページを作成したと判定した場合には（ステップＳ５０７肯定）、処理を終了する。
【００６０】
次に、図２３を用いて、情報表示装置１０による質問情報表示判定処理を説明する。つまり、情報表示装置１０が、各質問情報の内容を共通画面に表示するか、個別画面に表示するかを判定する処理である。図２３に示すように、情報表示装置１０は、質問情報の公開範囲が「共通」であるか判定する（ステップＳ６０１）。この結果、情報表示装置１０は、公開範囲が「共通」である場合には（ステップＳ６０１肯定）、公開範囲が「共通」の質問と質問が重複しているか判定する（ステップＳ６０２）。
【００６１】
この結果、情報表示装置１０は、公開範囲が「共通」の質問と質問が重複していないと判定した場合には（ステップＳ６０２否定）、質問の内容を共通画面に表示し（ステップＳ６０３）、ステップＳ６１２に移る。
【００６２】
また、情報表示装置１０は、公開範囲が「共通」でないと判定した場合には（ステップＳ６０１否定）、公開範囲が「グループ」であるか判定する（ステップＳ６０４）。この結果、情報表示装置１０は、公開範囲が「グループ」である場合には（ステップＳ６０４肯定）、公開範囲が「共通」の質問と質問が重複しているか判定する（ステップＳ６０５）。
【００６３】
この結果、情報表示装置１０は、公開範囲が「共通」の質問と質問が重複していない場合には（ステップＳ６０５否定）、公開範囲が同グループ質問と質問が重複している判定する（ステップＳ６０６）。この結果、情報表示装置１０は、公開範囲が同グループ質問と質問が重複していないと判定した場合には（ステップＳ６０６否定）、公開範囲のグループの個別画面に表示して（ステップＳ６０７）、ステップＳ６１２に移る。
【００６４】
一方、情報表示装置１０は、公開範囲が「共通」の質問と質問が重複している場合には（ステップＳ６０５肯定）、または、公開範囲が同グループ質問と質問が重複している場合には（ステップＳ６０６肯定）、ステップＳ６１０に移る。
【００６５】
ステップＳ６０４の説明に戻って、情報表示装置１０は、公開範囲が「グループ」でない場合には（ステップＳ６０４否定）、質問全体で質問が重複しているか判定する（ステップＳ６０８）。この結果、情報表示装置１０は、質問全体で質問が重複していない場合には（ステップＳ６０８否定）、質問者の個別画面に表示し（ステップＳ６０９）、ステップＳ６１２に移る。
【００６６】
また、情報表示装置１０は、質問全体で質問が重複している場合には（ステップＳ６０８肯定）、重複時表示可否情報が「表示する」であるか判定する（ステップＳ６１０）。この結果、情報表示装置１０は、重複時表示可否情報が「表示する」である場合には、ステップＳ６０９に移る。また、情報表示装置１０は、重複時表示可否情報が「表示する」でない場合には（ステップＳ６１０否定）、質問情報を表示せずに（ステップＳ６１１）、ステップＳ６１２に移る。
【００６７】
ステップＳ６１２では、情報表示装置１０は、質問数だけ表示判定処理を行ったか判定し（ステップＳ６１２）、質問数だけ表示判定処理を行っていない場合には（ステップＳ６１２否定）、Ｓ６０１に戻り、全ての質問について表示判定処理を行うまで、ステップＳ６０１〜ステップＳ６１２の処理を繰り返す。また、質問数だけ表示判定処理を行っている場合には（ステップＳ６１２肯定）、処理を終了する。
【００６８】
このように、上述したように、第１の実施形態における情報表示装置１０によれば、表示する質問情報の種別に応じて、質問情報が表示される表示先画面が、自装置で表示する共通画面であるか、各利用者が所有する情報入出力装置でそれぞれ表示される個別画面であるかを判別する。そして、情報表示装置１０は、表示先画面が共通画面であると判別された質問情報を用いて、共通画面を生成し、表示先画面が個別画面であると判別された質問情報を用いて、各個別画面を生成する。そして、情報表示装置１０は、生成された共通画面を表示する。また、情報表示装置１０は、生成された各個別画面を利用者の情報入出力装置にそれぞれ送信する。このため、質問者それぞれが見たい内容を表示することができ、資料と質問とを合わせて表示する画面の表示態様を適切にすることが可能である。
【００６９】
また、第１の実施形態における情報表示装置１０によれば、質問情報が他の質問情報と内容が重複しているか判定し、当該質問情報が他の質問情報と内容が重複していない場合には、該質問情報の種別に応じて表示先画面が、共通画面であるか前記個別画面であるかを判別し、質問情報が他の質問情報と内容が重複している場合には、共通画面に表示されることを禁止する。このため、重複する質問を共通画面に表示させないので、画面を洗練し表示し易くすることが可能である。
【００７０】
また、上述したように、第１の実施形態における情報表示装置１０によれば、共通画面のページが変更された場合には、変更後のページに対応する共通画面を生成するとともに、該変更後のページに対応する個別画面を生成する。このため、共通画面と個別画面を適切に同期させることが可能である。
【００７１】
（第２の実施形態）
さて、これまで本発明の実施形態について説明したが、本発明は上述した実施形態以外にも、その他の実施形態にて実施されても良い。そこで、以下では、その他の実施形態を示す。
【００７２】
例えば、上述した実施形態では、共通画面の表示と個別画面とを別々に生成して、表示する場合を説明したが、これに限定されるものではなく、共通画面の表示と個別画面とを同期させて生成し、表示させるようにしてもよい。
【００７３】
ここで、図２４を用いて、共通画面の表示と個別画面とを同期させて生成し、表示させる処理について説明する。図２４に示すように、情報表示装置１０の操作部１５からページの変更要求を受け付けると（ステップＳ７０１）、表示管理部１７は、ページ変更画像作成依頼を表示画像生成部１６に出力する（ステップＳ７０２）。そして、表示画像生成部１６は、画面生成に必要な情報を記憶部１２に要求し（ステップＳ７０３）、画像生成に必要な情報を取得する（ステップＳ７０４）。
【００７４】
そして、表示画像生成部１６は、ページ変更後の共通画面を作成し（ステップＳ７０５）、ページ変更後の共通画面を表示管理部１７に出力する（ステップＳ７０６）。そして、表示管理部１７は、表示部１８にページ変更後の共通画面を出力する（ステップＳ７０７）。そして、表示部１８は、ページ変更後の共通画面を表示する（ステップＳ７０８）。
【００７５】
続いて、表示画像生成部１６は、ページ変更後の個別画像を作成し（ステップＳ７０９）、ページ変更後の個別画像を通信部１１に出力する（ステップＳ７１０）。そして、通信部１１は、情報入出力装置２０の通信部２１にページ変更個別画像を送信する（ステップＳ７１１）。そして、通信部２１は、ページ変更後の個別画面を表示する旨の依頼を表示管理部２４に出力する（ステップＳ７１２）。その後、表示管理部２４は、ページ変更後の個別画面を表示する旨の依頼を表示部２５に出力する（ステップＳ７１３）。そして、表示部２５は、ページ変更後の個別画面を表示する（ステップＳ７１４）。
【００７６】
このように、共通画面のページが変更された場合には、変更後のページに対応する共通画面を生成するとともに、該変更後のページに対応する個別画面を生成するので、画面の表示操作を快適にすることができる。
【００７７】
また、上記の実施例では、一つの情報表示装置が画面を生成し、画面を表示する場合を説明したが、これに限定されるものではなく、画面を生成する機能を外部に移管してもよい。ここで、図２５の例を用いて、画面を生成する機能を外部サーバ４０に移管した場合について説明する。
【００７８】
外部サーバ４０は、情報表示装置３０および情報入出力装置２０と通信を行う通信部４１、質問情報などの画像生成に必要な情報を記憶する記憶部４２、表示を管理する表示管理部４３、質問情報の表示先を判別する表示先判別部４４、表示画像を生成する表示画像生成部４５を有する。
【００７９】
なお、情報表示装置３０としては、操作部３２や表示部３４を異なる機器が有するようにしてもよい。例えば、入力のみの端末としてホワイトボードを用いてもよいし、出力のみの端末としてプリンタ、プロジェクタを用いてもよい。
【００８０】
［システム構成］
また、本実施形態において説明した各処理のうち、自動的に行われるものとして説明した処理の全部又は１部を手動的に行うこともでき、あるいは、手動的に行われるものとして説明した処理の全部又は１部を公知の方法で自動的に行うこともできる。この他、上述文書中や図面中で示した処理手順、制御手順、具体的名称、各種のデータやパラメータを含む情報については、特記する場合を除いて任意に変更することができる。
【００８１】
また、図示した各装置の各構成要素は機能概念的なものであり、必ずしも物理的に図示の如く構成されていることを要しない。すなわち、各装置の分散・統合の具体的形態は図示のものに限られず、その全部又は１部を、各種の負荷や使用状況などに応じて、任意の単位で機能的又は物理的に分散・統合して構成することができる。
【００８２】
［その他］
なお、本実施の形態の情報表示装置１０および情報入出力装置２０で実行されるプログラムは、ＲＯＭなどに予め組み込まれて提供される。また、本実施の形態の情報表示装置１０および情報入出力装置２０で実行されるプログラムは、インストール可能な形式又は実行可能な形式のファイルでＣＤ−ＲＯＭ、フレキシブルディスク（ＦＤ）、ＣＤ−Ｒ、ＤＶＤなどのコンピュータで読み取り可能な記録媒体に記録して提供するように構成しても良い。
【００８３】
更に、本実施の形態の情報表示装置１０および情報入出力装置２０で実行されるプログラムを、インターネットなどのネットワークに接続されたコンピュータ上に格納し、ネットワーク経由でダウンロードさせることにより提供するように構成しても良い。また、本実施の形態の情報表示装置１０および情報入出力装置２０で実行される画像表時プログラムをインターネットなどのネットワーク経由で提供又は配布するように構成しても良い。
【００８４】
本実施の形態の情報表示装置１０で実行されるプログラムは、上述した各部（例えば、通信部１１、記憶部１２、情報管理部１３、表示先判別部１４、操作部１５、表示画像生成部１６、表示管理部１７、表示部１８）を含むモジュール構成となっており、実際のハードウェアとしてはＣＰＵ（プロセッサ）が上記ＲＯＭから画像処理プログラムを読み出して実行することで、上記各部が主記憶装置上にロードされ、通信部１１、記憶部１２、情報管理部１３、表示先判別部１４、操作部１５、表示画像生成部１６、表示管理部１７、表示部１８が主記憶装置上に生成される。
【００８５】
本実施の形態の情報入出力装置２０で実行されるプログラムは、上述した各部（例えば、通信部２１、入力部２２、情報作成部２３、表示管理部２４、表示部２５）を含むモジュール構成となっており、実際のハードウェアとしてはＣＰＵ（プロセッサ）が上記ＲＯＭから画像処理プログラムを読み出して実行することで、上記各部が主記憶装置上にロードされ、通信部２１、入力部２２、情報作成部２３、表示管理部２４、表示部２５が主記憶装置上に生成される。
【符号の説明】
【００８６】
１０  情報表示装置
１１  通信部
１２  記憶部
１３  情報管理部
１４  表示先判別部
１５  操作部
１６  表示画像生成部
１７  表示管理部
１８  表示部
２０  情報入出力装置
２１  通信部
２２  入力部
２３  情報作成部
２４  表示管理部
２５  表示部
【先行技術文献】
【特許文献】
【００８７】
【特許文献１】特開２０１０−１４６１１６号公報
【特許文献２】特開２０１０−１３４６８１号公報
【図１】
2013065098.tif 000003
【図２】
2013065098.tif 000004
【図３】
2013065098.tif 000005
【図４】
2013065098.tif 000006
【図５】
2013065098.tif 000007
【図６】
2013065098.tif 000008
【図７】
2013065098.tif 000009
【図８】
2013065098.tif 000010
【図９】
2013065098.tif 000011
【図１０】
2013065098.tif 000012
【図１１】
2013065098.tif 000013
【図１２】
2013065098.tif 000014
【図１３】
2013065098.tif 000015
【図１４】
2013065098.tif 000016
【図１５】
2013065098.tif 000017
【図１６】
2013065098.tif 000018
【図１７】
2013065098.tif 000019
【図１８】
2013065098.tif 000020
【図１９】
2013065098.tif 000021
【図２０】
2013065098.tif 000022
【図２１】
2013065098.tif 000023
【図２２】
2013065098.tif 000024
【図２３】
2013065098.tif 000025
【図２４】
2013065098.tif 000026
【図２５】
2013065098.tif 000027